(57)【要約】      （修正有）【課題】ポータブル使い捨てエコハンドルカップを提供する。【解決手段】本考案のポータブル使い捨てエコハンドルカップはカップ本体１０及びハンドル部材を備える。ハンドル部材はカップ本体１０に設置され、不使用時にはハンドル部材のカップ本体１０のカップ壁との連結箇所が下向きに曲折されてカップ壁に貼着される。使用時にはハンドル部材が起こされることによりカップを手に持つためのハンドル構造２０１が構成される。本考案は構造が簡単な新規の設計となり、携帯に便利で実用性が高く、美しい外観で外出時に携帯しやすい。携帯時にはハンドルを持つことで両手が解放され、他の動作が可能になり、外で熱い飲み物を飲む際に火傷しなくなる。【選択図】図５
0003220393.tif 000002
【実用新案登録請求の範囲】
【請求項１】
カップ本体及び前記カップ本体に設けられるハンドル部材を備え、不使用時には前記ハンドル部材は前記カップ本体のカップ壁との連結箇所が下向きに曲折されてカップ壁に貼着され、使用時にはハンドル部材が起こされることにより手で持つためのハンドル構造が構成されることを特徴とするポータブル使い捨てエコハンドルカップ。
【請求項２】
前記ハンドル構成部材は２組であり、２組の前記ハンドル構成部材は前記カップ本体に対称に設置され、各組の前記ハンドル部材は共に前記カップ本体に嵌め込まれるか粘着されることを特徴とする請求項１に記載のポータブル使い捨てエコハンドルカップ。
【請求項３】
前記ハンドル部材が前記カップ本体に嵌め込まれる場合、前記ハンドル構成部材はハンドル用押板及びハンドル構造を備え、前記ハンドル用押板の一端は前記ハンドル構造の両端にそれぞれ連結され、前記ハンドル構造はハンドル用押板の表面下に曲折するように嵌設され、前記ハンドル構造の両側辺と前記ハンドル用押板とは模擬縫い目により連結され、使用時にはハンドル構造が外に向けて引っ張られることによりハンドル構造が形成されることを特徴とする請求項２に記載のポータブル使い捨てエコハンドルカップ。
【請求項４】
前記ハンドル用押板は２本の細長い形状物であり、各細長い前記ハンドル用押板の一端はハンドル構造の一端に連結されることを特徴とする請求項３に記載のポータブル使い捨てエコハンドルカップ。
【請求項５】
前記ハンドル部材が前記カップ本体に粘着される場合、前記ハンドル部材はハンドル構造及び接着層を備え、前記ハンドル構造の両端は前記接着層を介して前記カップ本体にそれぞれ設置されることを特徴とする請求項２に記載のポータブル使い捨てエコハンドルカップ。
【請求項６】
前記ハンドル構成部材は前記カップ本体に覆設される押し付けカラーを更に備え、前記押し付けカラーにより前記ハンドル構造が前記カップ本体に圧接されることを特徴とする請求項５に記載のポータブル使い捨てエコハンドルカップ。
【請求項７】
前記ハンドル部材が前記カップ本体に粘着される場合、前記ハンドル構成部材はハンドル用押板と、接着層と、ハンドル構造とを備え、前記ハンドル用押板の一端は前記ハンドル構造の両端にそれぞれ連結され、前記ハンドル構造はハンドル用押板の表面下に曲折するように嵌設され、前記ハンドル構造の両側辺と前記ハンドル用押板とは模擬縫い目により連結され、前記ハンドル用押板は接着層を介して前記カップ本体に連結され、使用時にはハンドル構造が外に向けて引っ張られることによりハンドル構造が形成されることを特徴とする請求項２に記載のポータブル使い捨てエコハンドルカップ。
【請求項８】
前記ハンドル用押板は２本の細長い形状物であり、各細長い前記ハンドル用押板の一端はハンドル構造の一端に連結されることを特徴とする請求項７に記載のポータブル使い捨てエコハンドルカップ。
【請求項９】
前記接着層には両面テープまたは接着剤が採用され、前記ハンドル構造は扁平の紙ひも、円形の紙ひも、或いは両端が扁平で中間部が円形の紙ひもであることを特徴とする請求項５乃至８の何れか１項に記載のポータブル使い捨てエコハンドルカップ。
【請求項１０】
前記ポータブル使い捨てエコハンドルカップは防塵及び吐き出しに用いられる防塵構造を更に備え、前記防塵構造にはカップ本体の飲み口に蓋をするためのカップ蓋またはカップの飲み口に圧着される圧着接着テープが採用され、前記カップ蓋には十字型の切欠が設けられることを特徴とする請求項１または２に記載のポータブル使い捨てエコハンドルカップ。
【考案の詳細な説明】
【技術分野】
【０００１】
本考案は、エコカップの改良技術分野に関し、更に詳しくは、ポータブル使い捨てエコハンドルカップに関する。
【背景技術】
【０００２】
生活が忙しい現代では、使い捨て食器（例えば、使い捨てカップ）が広く使用されている。従来の使い捨てカップを採用してドリンクを販売する場合、一般的にはまずドリンクをカップ内に注ぎ、カップの飲み口箇所に蓋を嵌める。蓋の中間部にはストローを差し込むためのストロー口が設けられ、ストローをストロー口から差し込むのみでドリンクを吸うことが可能になる。
【考案の概要】
【考案が解決しようとする課題】
【０００３】
しかしながら、生活水準が高まるにつれ、使い捨てカップを使用する人も多くなり、使い捨てカップも１つ１つ包装されるようになっている。カップを取る場合、指でカップの内壁に触れなければならないため、カップが汚れてしまう。使用時には、ホットドリンクの場合手を火傷する危険性もあり、両手を解放して他の事ができないため、使いにくかった。
【０００４】
そこで、本考案者は上記の欠点が改善可能と考え、鋭意検討を重ねた結果、合理的設計で上記の課題を効果的に改善する本考案の提案に到った。
【０００５】
本考案は上記問題に鑑みてなされたもので、ポータブル使い捨てエコハンドルカップを提供することを目的とする。すなわち、使用時に手に載せなければならないため他の動作ができず、使いにくいという技術的問題を解決する。
【０００６】
上述した課題を解決し、目的を達成するために、請求項１に記載のポータブル使い捨てエコハンドルカップは、カップ本体及びハンドル部材を備える。前記ハンドル部材は前記カップ本体に設置され、不使用時には前記ハンドル部材の前記カップ本体のカップ壁との連結箇所が下向きに曲折されてカップ壁に貼着される。使用時にはハンドル部材が起こされることによりカップを手に持つためのハンドル構造が構成される。
【０００７】
また、請求項２の本考案に係るポータブル使い捨てエコハンドルカップは、請求項１に記載のものにおいて、本考案の技術方法はさらに、前記ハンドル構成部材は２組であり、２組の前記ハンドル構成部材は前記カップ本体に対称に設置され、各組の前記ハンドル部材は前記カップ本体に嵌め込まれるか粘着される。
【０００８】
また、請求項３の本考案に係るポータブル使い捨てエコハンドルカップは、請求項２に記載のものにおいて、前記ハンドル部材が前記カップ本体に嵌め込まれる場合、前記ハンドル構成部材はハンドル用押板及びハンドル構造を備える。前記ハンドル用押板の一端は前記ハンドル構造の両端にそれぞれ連結され、前記ハンドル構造はハンドル用押板の表面下に曲折するように嵌設され、前記ハンドル構造の両側辺と前記ハンドル用押板とは模擬縫い目により連結される。使用時にはハンドル構造が外に向けて引っ張られることによりハンドル構造が形成される。
【０００９】
また、請求項４の本考案に係るポータブル使い捨てエコハンドルカップは、請求項３に記載のものにおいて、本考案の技術方法はさらに、前記ハンドル用押板は２本の細長い形状物であり、各細長い前記ハンドル用押板の一端はハンドル構造の一端に連結される。
【００１０】
また、請求項５の本考案に係るポータブル使い捨てエコハンドルカップは、請求項２に記載のものにおいて、前記ハンドル部材が前記カップ本体に粘着される場合、前記ハンドル部材はハンドル構造及び接着層を備え、前記ハンドル構造の両端は前記接着層を介して前記カップ本体にそれぞれ設置される。
【００１１】
また、請求項６の本考案に係るポータブル使い捨てエコハンドルカップは、請求項５に記載のものにおいて、前記ハンドル構成部材は前記カップ本体に覆設される押し付けカラーを更に備え、前記押し付けカラーにより前記ハンドル構造が前記カップ本体に圧接される。
【００１２】
また、請求項７の本考案に係るポータブル使い捨てエコハンドルカップは、請求項２に記載のものにおいて、前記ハンドル部材が前記カップ本体に粘着される場合、前記ハンドル構成部材はハンドル用押板と、接着層と、ハンドル構造とを備える。前記ハンドル用押板の一端は前記ハンドル構造の両端にそれぞれ連結され、前記ハンドル構造はハンドル用押板の表面下に曲折するように嵌設される。前記ハンドル構造の両側辺と前記ハンドル用押板とは模擬縫い目により連結され、前記ハンドル用押板は接着層を介して前記カップ本体に連結される。使用時にはハンドル構造が外に向けて引っ張られることによりハンドル構造が形成される。
【００１３】
また、請求項８の本考案に係るポータブル使い捨てエコハンドルカップは、請求項７に記載のものにおいて、前記ハンドル用押板は２本の細長い形状物であり、各細長い前記ハンドル用押板の一端はハンドル構造の一端に連結される。
【００１４】
また、請求項９の本考案に係るポータブル使い捨てエコハンドルカップは、請求項５乃至８のいずれかの一項に記載のものにおいて、本考案の技術方法はさらに、前記接着層には両面テープまたは接着剤が採用され、前記ハンドル構造は扁平の紙ひも、円形の紙ひも、或いは両端が扁平で中間部が円形の紙ひもである。
【００１５】
また、請求項１０の本考案に係るポータブル使い捨てエコハンドルカップは、請求項１または２に記載のものにおいて、前記ポータブル使い捨てエコハンドルカップは防塵及び吐き出しに用いられる防塵構造を更に備え、前記防塵構造にはカップ本体の飲み口に蓋をするためのカップ蓋またはカップの飲み口に圧着される圧着接着テープが採用され、前記カップ蓋には十字型の切欠が設けられる。
【考案の効果】
【００１６】
このように、本考案によれば、次のような効果がある。
新規の設計であり、携帯に便利で実用性が高く、外観が美しく、外出して携帯しやすい。携帯時には、ハンドルを持つことで両手が解放され、他の動作が可能になり、外で熱い飲み物を飲む際に火傷しなくなる。
【図面の簡単な説明】
【００１７】
【図１】本考案の一実施形態に係るハンドルカップ構成を例示する概略図（一）である。
【図２】本考案の一実施形態に係るハンドルカップ構成を例示する概略図（二）である。
【図３】本考案の一実施形態に係るハンドルカップ構成を例示する概略図（三）である。
【図４】本考案の一実施形態に係るハンドルカップ構成を例示する概略図（四）である。
【図５】本考案の一実施形態に係るハンドルカップ構成を例示する概略図（五）である。
【考案を実施するための形態】
【００１８】
以下、本考案の実施形態について図面を用いて説明する。なお、本考案は、下記の実施形態に何ら限定されることはなく、本考案の技術的範囲に属する限り種々の形態を採りうる。
【００１９】
以下、実施形態を図１〜１５に基づいて説明する。本考案のポータブル使い捨てエコハンドルカップは、カップ本体１０及びハンドル構成部材２０を備え、前記ハンドル構成部材２０は前記カップ本体１０に設けられる。不使用時には、前記ハンドル部材２０の前記カップ本体１０のカップ壁との連結箇所が下向きに曲折されてカップ壁に貼着される。使用時には、ハンドル部材が起こされることによりカップを持つためのハンドル構造が構成される。
【００２０】
前記ハンドル構成部材２０は２組であり、２組の前記ハンドル構成部材２０が前記カップ本体１０に対称に設置される。各組の前記ハンドル部材２０は共に前記カップ本体１０に嵌め込まれるか粘着される。
【００２１】
前記ハンドル部材２０が前記カップ本体１０に嵌め込まれる場合、前記ハンドル構成部材２０はハンドル用押板２０３及びハンドル構造２０１を備える。前記ハンドル用押板２０３の一端は前記ハンドル構造２０１の両端にそれぞれ連結され、前記ハンドル構造２０１はハンドル用押板２０３の表面下に曲折するように嵌設され、前記ハンドル構造２０１の両側辺は前記ハンドル用押板２０３に模擬縫い目により連結される。使用時には、ハンドル構造２０３が外に向けて引っ張られることによりハンドル構造が形成される。
【００２２】
前記ハンドル用押板２０３は２本の細長い形状物であり、各細長い前記ハンドル用押板の一端はハンドル構造の一端に連結される。
【００２３】
なお、前記ハンドル部材２０が前記カップ本体１０に粘着される場合、前記ハンドル部材２０はハンドル構造２０１及び接着層を備え、前記ハンドル構造２０１の両端が前記接着層を介して前記カップ本体１０にそれぞれ連結される。
【００２４】
前記ハンドル構成部材２０は前記カップ本体１０に覆設される押し付けカラー２０２を更に備える。前記押し付けカラー２０２により前記ハンドル構造２０１が前記カップ本体１０に圧接される。
【００２５】
前記ハンドル部材２０が前記カップ本体１０に粘着される場合、前記ハンドル構成部材２０はハンドル用押板２０３と、接着層と、ハンドル構造２０１とを備える。前記ハンドル用押板２０３の一端は前記ハンドル構造２０１の両端にそれぞれ連結され、前記ハンドル構造２０１はハンドル用押板２０３の表面下に曲折するように嵌設され、前記ハンドル構造２０１の両側辺は前記ハンドル用押板２０３に模擬縫い目により連結され、前記ハンドル用押板２０３は接着層を介して前記カップ本体１０に連結される。使用時には、ハンドル構造２０１が外に向けて引っ張られることによりハンドル構造が形成される。
【００２６】
前記ハンドル用押板２０３は２本の細長い形状物であり、各細長い前記ハンドル用押板の一端はハンドル構造の一端に連結される。
【００２７】
前記接着層には両面テープまたは接着剤が採用される。前記ハンドル構造２０１は扁平の紙ひも、円形の紙ひも、或いは両端が扁平で中間部が円形の紙ひもである。
【００２８】
前記ポータブル使い捨てエコハンドルカップは防塵及び吐き出すために用いられる防塵構造を更に備える。前記防塵構造にはカップ本体の飲み口に蓋をするためのカップ蓋３０またはカップの飲み口に圧着される圧着接着テープが採用され、前記カップ蓋３０には十字型の切欠３０１が設けられる。
【００２９】
また、ポータブル使い捨てエコハンドルカップは、カップ本体１０及びカップ本体１０の対称になる両側にそれぞれ設置されるハンドル部材２０を備える。ハンドル部材２０はカップ本体１０の上部に設置され、ハンドル構成部材２０が曲折された後にカップ壁に沿ってカップ壁に下向きに貼着される。使用時には、ハンドル部材２０が起こされることによりハンドル構造が形成される。カップにドリンクや水等が入れられ、蓋によりカップに蓋がされると、飲料が溢れ出しにくくなり、防塵の役割も果たす。カップ蓋にはストローを差し込むための十字型の切欠が開設される。防塵及び溢れにくくするため、プレス機により接着テープがカップに熱圧着される圧着接着テープが更に採用される。接着テープは軟らかいストローでも貫通させることができるため、上面に開口部を設ける必要がない。
【００３０】
ハンドル部材２０は様々な構造が可能であり、嵌め込み方式や粘着方式によりカップ本体のカップ壁に設けられる。この内、嵌め込み方式のハンドル部材２０はハンドル用押板２０３及びハンドル構造２０１を備える。ハンドル構造２０１の両端はハンドル用押板２０３の一端に連結され、ハンドル構造２０１の両端には一定の間隔を有する。ハンドル構造２０１は下向きに曲折され、ハンドル構造２０１がハンドル用押板内に嵌入される。ハンドル構造２０１の両側の辺縁は模擬縫い目によりハンドル用押板２０３に連結される。使用時には、ハンドル構造２０１が引き起こされ、模擬縫い目が連結される部分がハンドル用押板２０３から脱離し、ハンドル構造２０１にハンドルが形成される。ハンドル用押板２０３は一体構造でも別々の２本の細長い形状物構造でもよい。ハンドル用押板２０３はカップ本体のカップ壁に嵌め込まれるものでも、両面テープや接着剤によりカップ壁に粘着されるものでもよい。この内、粘着方式のハンドルはハンドル構造及び接着層を備え、ハンドル構造の両端または一端が接着層を介してカップ壁にそれぞれ連結される。連結箇所ではハンドル構造が下向きに曲折されてカップ壁に貼着される。使用時には、ハンドル構造が引き起こされてハンドルが形成される。一端が連結されるハンドル構造２０１の他端には指等を通すためのスルーホールが設けられ、ハンドル構造２０１とカップ本体１０との連結箇所には押し付けカラー２０２が更に覆設され、ハンドル構造２０１が脱落しにくくなり、より安全且つ安定的に使用可能になる。一端が連結されるハンドル構造２０１には扁平の紙ひもが採用される。両端がカップ本体１０に連結されるハンドル部材のハンドル構造には扁平の紙ひも、円形の紙ひも、或いは両端が扁平で中間部が円形の紙ひもが採用される。接着層には両面テープまたは接着剤が採用され、両端が連結されるカップ壁の紙ひもは、２つの連結箇所に一定の間隔が設けられる。このような構造にはカップ蓋が設けられ、カップ蓋も上述の２種類の方式が採用されて実現される。
【００３１】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３２】
１０  カップ本体
２０  ハンドル構成部材
２０１  ハンドル構造
２０２  押し付けカラー
２０３  ハンドル用押板
３０  カップ蓋
３０１  十字型の切欠
【図１】
0003220393.tif 000003
【図２】
0003220393.tif 000004
【図３】
0003220393.tif 000005
【図４】
0003220393.tif 000006
【図５】
0003220393.tif 000007
【手続補正書】
【提出日】平成31年1月7日(2019.1.7)
【手続補正１】
【補正対象書類名】実用新案登録請求の範囲
【補正対象項目名】全文
【補正方法】変更
【補正の内容】
【実用新案登録請求の範囲】
【請求項１】
カップ本体及び前記カップ本体に設けられるハンドル構成部材を備え、不使用時には前記ハンドル構成部材は前記カップ本体のカップ壁との連結箇所が下向きに曲折されてカップ壁に貼着され、使用時にはハンドル構成部材が起こされることにより手で持つためのハンドル構造が構成されることを特徴とするポータブル使い捨てエコハンドルカップ。
【請求項２】
前記ハンドル構成部材は２つであり、２つの前記ハンドル構成部材は前記カップ本体に対称に設置され、各前記ハンドル構成部材は共に前記カップ本体に嵌め込まれるか粘着されることを特徴とする請求項１に記載のポータブル使い捨てエコハンドルカップ。
【請求項３】
前記ハンドル構成部材が前記カップ本体に嵌め込まれる場合、前記ハンドル構成部材はハンドル用押板及びハンドル構造を備え、前記ハンドル用押板の一端は前記ハンドル構造の両端にそれぞれ連結され、前記ハンドル構造はハンドル用押板の表面下に曲折するように嵌設され、前記ハンドル構造の両側辺と前記ハンドル用押板とは模擬縫い目により連結され、使用時にはハンドル構造が外に向けて引っ張られることによりハンドル構造が形成されることを特徴とする請求項２に記載のポータブル使い捨てエコハンドルカップ。
【請求項４】
前記ハンドル用押板は２本の細長い形状物であり、各細長い前記ハンドル用押板の一端はハンドル構造の一端に連結されることを特徴とする請求項３に記載のポータブル使い捨てエコハンドルカップ。
【請求項５】
前記ハンドル構成部材が前記カップ本体に粘着される場合、前記ハンドル構成部材はハンドル構造及び接着層を備え、前記ハンドル構造の両端は前記接着層を介して前記カップ本体にそれぞれ設置されることを特徴とする請求項２に記載のポータブル使い捨てエコハンドルカップ。
【請求項６】
前記ハンドル構成部材は前記カップ本体に覆設される押し付けカラーを更に備え、前記押し付けカラーにより前記ハンドル構造が前記カップ本体に圧接されることを特徴とする請求項５に記載のポータブル使い捨てエコハンドルカップ。
【請求項７】
前記ハンドル構成部材が前記カップ本体に粘着される場合、前記ハンドル構成部材はハンドル用押板と、接着層と、ハンドル構造とを備え、前記ハンドル用押板の一端は前記ハンドル構造の両端にそれぞれ連結され、前記ハンドル構造はハンドル用押板の表面下に曲折するように嵌設され、前記ハンドル構造の両側辺と前記ハンドル用押板とは模擬縫い目により連結され、前記ハンドル用押板は接着層を介して前記カップ本体に連結され、使用時にはハンドル構造が外に向けて引っ張られることによりハンドル構造が形成されることを特徴とする請求項２に記載のポータブル使い捨てエコハンドルカップ。
【請求項８】
前記ハンドル用押板は２本の細長い形状物であり、各細長い前記ハンドル用押板の一端はハンドル構造の一端に連結されることを特徴とする請求項７に記載のポータブル使い捨てエコハンドルカップ。
【請求項９】
前記接着層には両面テープまたは接着剤が採用され、前記ハンドル構造は扁平の紙ひも、円形の紙ひも、或いは両端が扁平で中間部が円形の紙ひもであることを特徴とする請求項５乃至８の何れか１項に記載のポータブル使い捨てエコハンドルカップ。
【請求項１０】
前記ポータブル使い捨てエコハンドルカップは防塵及び吐き出しに用いられる防塵構造を更に備え、前記防塵構造にはカップ本体の飲み口に蓋をするためのカップ蓋またはカップの飲み口に圧着される圧着接着テープが採用され、前記カップ蓋には十字型の切欠が設けられることを特徴とする請求項１または２に記載のポータブル使い捨てエコハンドルカップ。
【手続補正２】
【補正対象書類名】明細書
【補正対象項目名】全文
【補正方法】変更
【補正の内容】
【考案の詳細な説明】
【技術分野】
【０００１】
本考案は、エコカップの改良技術分野に関し、更に詳しくは、ポータブル使い捨てエコハンドルカップに関する。
【背景技術】
【０００２】
生活が忙しい現代では、使い捨て食器（例えば、使い捨てカップ）が広く使用されている。従来の使い捨てカップを採用してドリンクを販売する場合、一般的にはまずドリンクをカップ内に注ぎ、カップの飲み口箇所に蓋を嵌める。蓋の中間部にはストローを差し込むためのストロー口が設けられ、ストローをストロー口から差し込むのみでドリンクを吸うことが可能になる。
【考案の概要】
【考案が解決しようとする課題】
【０００３】
しかしながら、生活水準が高まるにつれ、使い捨てカップを使用する人も多くなり、使い捨てカップも１つ１つ包装されるようになっている。カップを取る場合、指でカップの内壁に触れなければならないため、カップが汚れてしまう。使用時には、ホットドリンクの場合手を火傷する危険性もあり、両手を解放して他の事ができないため、使いにくかった。
【０００４】
そこで、本考案者は上記の欠点が改善可能と考え、鋭意検討を重ねた結果、合理的設計で上記の課題を効果的に改善する本考案の提案に到った。
【０００５】
本考案は上記問題に鑑みてなされたもので、ポータブル使い捨てエコハンドルカップを提供することを目的とする。すなわち、使用時に手に載せなければならないため他の動作ができず、使いにくいという技術的問題を解決する。
【０００６】
上述した課題を解決し、目的を達成するために、請求項１に記載のポータブル使い捨てエコハンドルカップは、カップ本体及びハンドル構成部材を備える。前記ハンドル構成部材は前記カップ本体に設置され、不使用時には前記ハンドル構成部材の前記カップ本体のカップ壁との連結箇所が下向きに曲折されてカップ壁に貼着される。使用時にはハンドル構成部材が起こされることによりカップを手に持つためのハンドル構造が構成される。
【０００７】
また、請求項２の本考案に係るポータブル使い捨てエコハンドルカップは、請求項１に記載のものにおいて、本考案の技術方法はさらに、前記ハンドル構成部材は２組であり、２組の前記ハンドル構成部材は前記カップ本体に対称に設置され、各組の前記ハンドル構成部材は前記カップ本体に嵌め込まれるか粘着される。
【０００８】
また、請求項３の本考案に係るポータブル使い捨てエコハンドルカップは、請求項２に記載のものにおいて、前記ハンドル構成部材が前記カップ本体に嵌め込まれる場合、前記ハンドル構成部材はハンドル用押板及びハンドル構造を備える。前記ハンドル用押板の一端は前記ハンドル構造の両端にそれぞれ連結され、前記ハンドル構造はハンドル用押板の表面下に曲折するように嵌設され、前記ハンドル構造の両側辺と前記ハンドル用押板とは模擬縫い目により連結される。使用時にはハンドル構造が外に向けて引っ張られることによりハンドル構造が形成される。
【０００９】
また、請求項４の本考案に係るポータブル使い捨てエコハンドルカップは、請求項３に記載のものにおいて、本考案の技術方法はさらに、前記ハンドル用押板は２本の細長い形状物であり、各細長い前記ハンドル用押板の一端はハンドル構造の一端に連結される。
【００１０】
また、請求項５の本考案に係るポータブル使い捨てエコハンドルカップは、請求項２に記載のものにおいて、前記ハンドル構成部材が前記カップ本体に粘着される場合、前記ハンドル構成部材はハンドル構造及び接着層を備え、前記ハンドル構造の両端は前記接着層を介して前記カップ本体にそれぞれ設置される。
【００１１】
また、請求項６の本考案に係るポータブル使い捨てエコハンドルカップは、請求項５に記載のものにおいて、前記ハンドル構成部材は前記カップ本体に覆設される押し付けカラーを更に備え、前記押し付けカラーにより前記ハンドル構造が前記カップ本体に圧接される。
【００１２】
また、請求項７の本考案に係るポータブル使い捨てエコハンドルカップは、請求項２に記載のものにおいて、前記ハンドル構成部材が前記カップ本体に粘着される場合、前記ハンドル構成部材はハンドル用押板と、接着層と、ハンドル構造とを備える。前記ハンドル用押板の一端は前記ハンドル構造の両端にそれぞれ連結され、前記ハンドル構造はハンドル用押板の表面下に曲折するように嵌設される。前記ハンドル構造の両側辺と前記ハンドル用押板とは模擬縫い目により連結され、前記ハンドル用押板は接着層を介して前記カップ本体に連結される。使用時にはハンドル構造が外に向けて引っ張られることによりハンドル構造が形成される。
【００１３】
また、請求項８の本考案に係るポータブル使い捨てエコハンドルカップは、請求項７に記載のものにおいて、前記ハンドル用押板は２本の細長い形状物であり、各細長い前記ハンドル用押板の一端はハンドル構造の一端に連結される。
【００１４】
また、請求項９の本考案に係るポータブル使い捨てエコハンドルカップは、請求項５乃至８のいずれかの一項に記載のものにおいて、本考案の技術方法はさらに、前記接着層には両面テープまたは接着剤が採用され、前記ハンドル構造は扁平の紙ひも、円形の紙ひも、或いは両端が扁平で中間部が円形の紙ひもである。
【００１５】
また、請求項１０の本考案に係るポータブル使い捨てエコハンドルカップは、請求項１または２に記載のものにおいて、前記ポータブル使い捨てエコハンドルカップは防塵及び吐き出しに用いられる防塵構造を更に備え、前記防塵構造にはカップ本体の飲み口に蓋をするためのカップ蓋またはカップの飲み口に圧着される圧着接着テープが採用され、前記カップ蓋には十字型の切欠が設けられる。
【考案の効果】
【００１６】
このように、本考案によれば、次のような効果がある。
新規の設計であり、携帯に便利で実用性が高く、外観が美しく、外出して携帯しやすい。携帯時には、ハンドルを持つことで両手が解放され、他の動作が可能になり、外で熱い飲み物を飲む際に火傷しなくなる。
【図面の簡単な説明】
【００１７】
【図１】本考案の一実施形態に係るハンドルカップ構成を例示する概略図（一）である。
【図２】本考案の一実施形態に係るハンドルカップ構成を例示する概略図（二）である。
【図３】本考案の一実施形態に係るハンドルカップ構成を例示する概略図（三）である。
【図４】本考案の一実施形態に係るハンドルカップ構成を例示する概略図（四）である。
【図５】本考案の一実施形態に係るハンドルカップ構成を例示する概略図（五）である。
【考案を実施するための形態】
【００１８】
以下、本考案の実施形態について図面を用いて説明する。なお、本考案は、下記の実施形態に何ら限定されることはなく、本考案の技術的範囲に属する限り種々の形態を採りうる。
【００１９】
以下、実施形態を図１〜１５に基づいて説明する。本考案のポータブル使い捨てエコハンドルカップは、カップ本体１０及びハンドル構成部材２０を備え、前記ハンドル構成部材２０は前記カップ本体１０に設けられる。不使用時には、前記ハンドル構成部材２０の前記カップ本体１０のカップ壁との連結箇所が下向きに曲折されてカップ壁に貼着される。使用時には、ハンドル構成部材が起こされることによりカップを持つためのハンドル構造が構成される。
【００２０】
前記ハンドル構成部材２０は２組であり、２組の前記ハンドル構成部材２０が前記カップ本体１０に対称に設置される。各組の前記ハンドル構成部材２０は共に前記カップ本体１０に嵌め込まれるか粘着される。
【００２１】
前記ハンドル構成部材２０が前記カップ本体１０に嵌め込まれる場合、前記ハンドル構成部材２０はハンドル用押板２０３及びハンドル構造２０１を備える。前記ハンドル用押板２０３の一端は前記ハンドル構造２０１の両端にそれぞれ連結され、前記ハンドル構造２０１はハンドル用押板２０３の表面下に曲折するように嵌設され、前記ハンドル構造２０１の両側辺は前記ハンドル用押板２０３に模擬縫い目により連結される。使用時には、ハンドル構造２０３が外に向けて引っ張られることによりハンドル構造が形成される。
【００２２】
前記ハンドル用押板２０３は２本の細長い形状物であり、各細長い前記ハンドル用押板の一端はハンドル構造の一端に連結される。
【００２３】
なお、前記ハンドル構成部材２０が前記カップ本体１０に粘着される場合、前記ハンドル構成部材２０はハンドル構造２０１及び接着層を備え、前記ハンドル構造２０１の両端が前記接着層を介して前記カップ本体１０にそれぞれ連結される。
【００２４】
前記ハンドル構成部材２０は前記カップ本体１０に覆設される押し付けカラー２０２を更に備える。前記押し付けカラー２０２により前記ハンドル構造２０１が前記カップ本体１０に圧接される。
【００２５】
前記ハンドル構成部材２０が前記カップ本体１０に粘着される場合、前記ハンドル構成部材２０はハンドル用押板２０３と、接着層と、ハンドル構造２０１とを備える。前記ハンドル用押板２０３の一端は前記ハンドル構造２０１の両端にそれぞれ連結され、前記ハンドル構造２０１はハンドル用押板２０３の表面下に曲折するように嵌設され、前記ハンドル構造２０１の両側辺は前記ハンドル用押板２０３に模擬縫い目により連結され、前記ハンドル用押板２０３は接着層を介して前記カップ本体１０に連結される。使用時には、ハンドル構造２０１が外に向けて引っ張られることによりハンドル構造が形成される。
【００２６】
前記ハンドル用押板２０３は２本の細長い形状物であり、各細長い前記ハンドル用押板の一端はハンドル構造の一端に連結される。
【００２７】
前記接着層には両面テープまたは接着剤が採用される。前記ハンドル構造２０１は扁平の紙ひも、円形の紙ひも、或いは両端が扁平で中間部が円形の紙ひもである。
【００２８】
前記ポータブル使い捨てエコハンドルカップは防塵及び吐き出すために用いられる防塵構造を更に備える。前記防塵構造にはカップ本体の飲み口に蓋をするためのカップ蓋３０またはカップの飲み口に圧着される圧着接着テープが採用され、前記カップ蓋３０には十字型の切欠３０１が設けられる。
【００２９】
また、ポータブル使い捨てエコハンドルカップは、カップ本体１０及びカップ本体１０の対称になる両側にそれぞれ設置されるハンドル構成部材２０を備える。ハンドル構成部材２０はカップ本体１０の上部に設置され、ハンドル構成部材２０が曲折された後にカップ壁に沿ってカップ壁に下向きに貼着される。使用時には、ハンドル構成部材２０が起こされることによりハンドル構造が形成される。カップにドリンクや水等が入れられ、蓋によりカップに蓋がされると、飲料が溢れ出しにくくなり、防塵の役割も果たす。カップ蓋にはストローを差し込むための十字型の切欠が開設される。防塵及び溢れにくくするため、プレス機により接着テープがカップに熱圧着される圧着接着テープが更に採用される。接着テープは軟らかいストローでも貫通させることができるため、上面に開口部を設ける必要がない。
【００３０】
ハンドル構成部材２０は様々な構造が可能であり、嵌め込み方式や粘着方式によりカップ本体のカップ壁に設けられる。この内、嵌め込み方式のハンドル構成部材２０はハンドル用押板２０３及びハンドル構造２０１を備える。ハンドル構造２０１の両端はハンドル用押板２０３の一端に連結され、ハンドル構造２０１の両端には一定の間隔を有する。ハンドル構造２０１は下向きに曲折され、ハンドル構造２０１がハンドル用押板内に嵌入される。ハンドル構造２０１の両側の辺縁は模擬縫い目によりハンドル用押板２０３に連結される。使用時には、ハンドル構造２０１が引き起こされ、模擬縫い目が連結される部分がハンドル用押板２０３から脱離し、ハンドル構造２０１にハンドルが形成される。ハンドル用押板２０３は一体構造でも別々の２本の細長い形状物構造でもよい。ハンドル用押板２０３はカップ本体のカップ壁に嵌め込まれるものでも、両面テープや接着剤によりカップ壁に粘着されるものでもよい。この内、粘着方式のハンドルはハンドル構造及び接着層を備え、ハンドル構造の両端または一端が接着層を介してカップ壁にそれぞれ連結される。連結箇所ではハンドル構造が下向きに曲折されてカップ壁に貼着される。使用時には、ハンドル構造が引き起こされてハンドルが形成される。一端が連結されるハンドル構造２０１の他端には指等を通すためのスルーホールが設けられ、ハンドル構造２０１とカップ本体１０との連結箇所には押し付けカラー２０２が更に覆設され、ハンドル構造２０１が脱落しにくくなり、より安全且つ安定的に使用可能になる。一端が連結されるハンドル構造２０１には扁平の紙ひもが採用される。両端がカップ本体１０に連結されるハンドル構成部材のハンドル構造には扁平の紙ひも、円形の紙ひも、或いは両端が扁平で中間部が円形の紙ひもが採用される。接着層には両面テープまたは接着剤が採用され、両端が連結されるカップ壁の紙ひもは、２つの連結箇所に一定の間隔が設けられる。このような構造にはカップ蓋が設けられ、カップ蓋も上述の２種類の方式が採用されて実現される。
【００３１】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００３２】
１０  カップ本体
２０  ハンドル構成部材
２０１  ハンドル構造
２０２  押し付けカラー
２０３  ハンドル用押板
３０  カップ蓋
３０１  十字型の切欠